(57)【要約】【課題】  装置の小型化を図ることができるとともに、カードのジャムの発生を確実に防止することのできるカード処理装置を提供する。【解決手段】  カード挿入口２から直線状に延在しカードを搬送する主搬送路５と、主搬送路５から分岐してカード回収口３にカードを搬送するとともにカードを一時的に待機させる待機路６と、主搬送路５と待機路とに沿って配置され主搬送路５および待機路に位置するカードを搬送する搬送ベルト１７と、主搬送路５と待機路との分岐部分に設置されカードを主搬送路５または待機路のいずれに搬送するかを切り替える待機切換え部材１９と、を備えている。【選択図】      図１
2010250578.tif 000002
【特許請求の範囲】
【請求項１】
カード挿入口から直線状に延在し、カードを搬送する主搬送路と、
前記主搬送路から分岐してカード回収口にカードを搬送するとともに、前記カードを一時的に待機させる待機路と、
前記主搬送路の一部と前記待機路とに沿って配置され、前記主搬送路および前記待機路に位置する前記カードを搬送する搬送ベルトと、
前記主搬送路と前記待機路との分岐部分に設置され、前記カードを前記主搬送路または前記待機路のいずれに搬送するかを切り替える待機切換え部材と、
を備えていることを特徴とするカード処理装置。
【請求項２】
前記待機切換え部材には、待機用圧接ローラが設けられ、前記待機用圧接ローラは、前記待機切換え部材が前記カードを前記待機路で搬送するように切り換えられた状態で、前記待機路の中途部で前記搬送ベルトに圧接され、前記搬送ベルトとの間で前記カードを挟持して搬送させるとともに、前記待機切換え部材が前記カードを前記主搬送路で搬送するように切り換えられた状態で、前記搬送ベルトとの圧接が解除されるように構成されていることを特徴とする請求項１に記載のカード処理装置。
【請求項３】
前記待機切換え部材の近傍には、前記待機切り換え部材の動作に同期して動作される待機レバーが設けられ、前記待機レバーは、前記待機切換え部材が前記カードを前記主搬送路で搬送するように切り換えられた状態で、前記待機用圧接ローラに圧接されるとともに、前記待機切換え部材が前記カードを前記待機路で搬送するように切り換えられた状態で、前記搬送ベルトの内側に位置するように待機可能に構成されていることを特徴とする請求項２に記載のカード処理装置。
【請求項４】
請求項１から請求項３のいずれか一項に記載のカード処理装置を備えていることを特徴とする料金精算機。
【発明の詳細な説明】
【技術分野】
【０００１】
本発明はカード処理装置および料金精算機に係り、特に、例えば、駐車場の料金精算機などに好適であり、駐車券あるいはサービスカードなどの各種カードの処理を行うことを可能としたカード処理装置および料金精算機に関する。
【背景技術】
【０００２】
従来から、例えば、駐車場管理システムにおいて、駐車券の発行により入場ゲートを開放して車両の入場を許可し、料金精算機が駐車券や利用者に配布されるサービスカードに記録されている情報に基づいた駐車料金の精算を完了すると、退場ゲートを開放して前記車両の退場を許可するようになっている。そして、駐車料金の精算に使用した駐車券やサービスカードは、料金精算機内で回収されるが、回収されたカードのうち駐車券は廃棄されるのに対し、サービスカードは駐車場の運営コストを抑えるためにリサイクル使用されることがある。
【０００３】
しかしながら、このような従来の料金精算機では、精算に使用した駐車券とサービスカードとは、料金精算機内の同一の回収箱に回収されるため、回収されたカードをリサイクル使用しない駐車券とリサイクル使用するサービスカードとに分別する作業を別途行わなければならなかった。このような分別作業は全て係員の手作業によって行われており、係員の負担が大きく不便であった。
【０００４】
そのため、従来から、駐車券を挿入して駐車カードの情報を読み取った後に、駐車券を待機位置に搬送した状態で、サービスカードによりサービスカードの情報を読み取って精算を行い、サービスカードがリサイクル可能か否かを判断し、サービスカードを廃棄カード用回収部あるいはリサイクルカード用回収部に搬送することにより、サービスカードを廃棄用とリサイクル用とに分別するようにした技術が開示されている（例えば、特許文献１参照）。
【先行技術文献】
【特許文献】
【０００５】
【特許文献１】特許第３４８２３８８号公報
【発明の概要】
【発明が解決しようとする課題】
【０００６】
しかしながら、前記特許文献１に記載の発明によれば、駐車券を情報の読み取りなどを行う搬送路の最奥部に待機させた状態で、サービスカードなどの読み取りを行うようにしているので、駐車券の待機位置を確保する必要上、装置の長さ寸法を大きくする必要があり、装置が大型化してしまうという問題を有している。
【０００７】
また、前記特許文献１に記載の発明によれば、サービスカードの回収を行う場合に、サービスカードを自由落下させて回収を行うものであるため、駐車券などが搬送路に引っかかったりして適正な搬送を行うことができなくなるいわゆるジャムが発生してしまうおそれがあるという問題をも有している。
【０００８】
本発明は前記した点に鑑みてなされたものであり、装置の小型化を図ることができるとともに、カードのジャムの発生を確実に防止することのできるカード処理装置および料金精算機を提供することを目的とするものである。
【課題を解決するための手段】
【０００９】
前記目的を達成するために請求項１の発明に係るサード処理装置は、カード挿入口から直線状に延在し、カードを搬送する主搬送路と、
前記主搬送路から分岐してカード回収口にカードを搬送するとともに、前記カードを一時的に待機させる待機路と、
前記主搬送路の一部と前記待機路とに沿って配置され、前記主搬送路および前記待機路に位置する前記カードを搬送する搬送ベルトと、
前記主搬送路と前記待機路との分岐部分に設置され、前記カードを前記主搬送路または前記待機路のいずれに搬送するかを切り替える待機切換え部材と、
を備えていることを特徴とする。
【００１０】
請求項２に係る発明は、請求項１において、前記待機切換え部材には、待機用圧接ローラが設けられ、前記待機用圧接ローラは、前記待機切換え部材が前記カードを前記待機路で搬送するように切り換えられた状態で、前記待機路の中途部で前記搬送ベルトに圧接され、前記搬送ベルトとの間で前記カードを挟持して搬送させるとともに、前記待機切換え部材が前記カードを前記主搬送路で搬送するように切り換えられた状態で、前記搬送ベルトとの圧接が解除されるように構成されていることを特徴とする。
【００１１】
請求項３に係る発明は、請求項２において、前記待機切換え部材の近傍には、前記待機切り換え部材の動作に同期して動作される待機レバーが設けられ、前記待機レバーは、前記待機切換え部材が前記カードを前記主搬送路で搬送するように切り換えられた状態で、前記待機用圧接ローラに圧接されるとともに、前記待機切換え部材が前記カードを前記待機路で搬送するように切り換えられた状態で、前記搬送ベルトの内側に位置するように待機可能に構成されていることを特徴とする。
【００１２】
請求項４の発明に係る料金精算機は、請求項１から請求項３のいずれか一項に記載のカード処理装置を備えていることを特徴とする。
【発明の効果】
【００１３】
請求項１に係る発明によれば、カードを主搬送路から分岐した待機路に待機させるようにしているので、従来のように主搬送路に待機する構成と比較して、主搬送路の長さ寸法を小さく形成することができ、その結果、処理装置本体の長さ寸法を小さくして装置の小型化を図ることができる。また、搬送ベルトによりカードの待機および回収を行うようにしているので、カードの搬送を確実に行うことができ、待機路におけるカードのジャムの発生などを確実に防止することができる。
【００１４】
請求項２に係る発明によれば、待機用圧接ローラにより、待機切換え部材がカードを待機路で搬送するように切り換えられた状態で、搬送ベルトとの間でカードを挟持して搬送させるようにしているので、待機路において、搬送ベルトと待機用圧接ローラとにより確実にカードを搬送させることができ、しかも、待機路にカードが待機している状態で、待機用圧接ローラによる圧接が解除されるので、待機路にカード適正に保持することができる。
【００１５】
請求項３に係る発明によれば、待機レバーにより、待機路にカードが待機している状態で、待機用圧接ローラに圧接させるようにしているので、待機状態で、待機レバーと待機用圧接ローラとにより挟持して保持することができ、しかも、待機切換え部材がカードを待機路で搬送するように切り換えられた状態で、搬送ベルトの内側に位置するように待機可能としているので、待機路におけるカードの搬送の邪魔になってしまうことがない。
【００１６】
請求項４に係る発明によれば、請求項１から請求項３のいずれか一項に記載のカード処理装置を備えることにより、カード処理装置により駐車券やサービスカードなどのカードを処理して駐車料金の精算を行うことができる。
【図面の簡単な説明】
【００１７】
【図１】本発明に係るカード処理装置の実施形態における待機切換え部材が主搬送路を解放している状態を示す概略構成図である。
【図２】本発明に係るカード処理装置の実施形態における待機切換え部材が待機路を解放している状態を示す概略構成図である。
【図３】本発明に係るカード処理装置の制御構成を示すブロック図である。
【図４】本発明に係るカード処理装置の動作を示すフローチャートである。
【発明を実施するための形態】
【００１８】
以下、本発明の実施の形態について図面を参照しながら説明する。
【００１９】
図１は、本発明に係るカード処理装置の実施形態を示す概略構成図であり、カード処理装置の処理装置本体１の一端面には、例えば、駐車券などのカードＰを出し入れするためのカード挿入口２が形成されている。処理装置本体１の下面には、使用済みのカードＰを回収するための第１カード回収口３およびこの第１カード回収口３より処理装置本体１の他端面側に所定間隔をもって形成された第２カード回収口４がそれぞれ設けられている。これら第１カード回収口３および第２カード回収口４の下方には、図示しない第１回収箱および第２回収箱がそれぞれ配置されるようになっている。
【００２０】
処理装置本体１の内部には、カード挿入口２から処理装置本体１の他端面に向かって直線状に延在する主搬送路５が形成されており、処理装置本体１の内部のカード挿入口２寄りには、主搬送路５から処理装置本体１の下方に向かって分岐する待機路６が形成されている。この待機路６は、弧状に形成されており、待機路６の下端部は、第１カード回収口３に連通している。さらに、待機路６には、処理装置本体１の下面に沿って延在し、第２カード回収口４に連通する回収路７が形成されている。
【００２１】
主搬送路５のカード挿入口２の近傍および処理装置本体１の他端面の近傍には、主搬送路５の下方に位置する搬送ローラ８，９が図示しない駆動モータにより回転駆動自在に配設されており、これら各搬送ローラ８，９には、主搬送路５の上方に位置し搬送ローラ８，９にそれぞれ圧接される圧接ローラ１０，１１が配設されている。
【００２２】
また、主搬送路５と回収路７との分岐位置の下方および主搬送路５の処理装置本体１の他端面寄りの下方には、それぞれ搬送用プーリ１２，１３が回転自在に配設されており、回収路７の両端部分上方には、２つの回収用プーリ１４，１５が回転自在に配設されている。さらに、待機路６の中途部には、待機用プーリ１６が回転自在に配設されており、各搬送用プーリ１２，１３、回収用プーリ１４，１５および待機用プーリ１６には、搬送ベルト１７が一定の張力をもって掛け渡されている。また、各搬送用プーリ１２，１３および回収用プーリ１４，１５には、それぞれ搬送ベルト１７を介してベルト圧接ローラ１８，１８…が圧接されるようになっている。このように、搬送ベルト１７を各搬送用プーリ１２，１３、回収用プーリ１４，１５および待機用プーリ１６に掛け渡すことにより、搬送ベルト１７が第１カード回収口３および第２カード回収口４の近傍まで配設されることになるので、第１カード回収口３および第２カード回収口４の周辺におけるカードＰのジャムの発生を防止することができるものである。
【００２３】
また、主搬送路５と待機路６との分岐部分には、待機切換え部材１９が回動自在に取付けられており、待機切換え部材１９の下部先端部には、待機用圧接ローラ２０が回転自在に取り付けられている。待機切換え部材１９は、回動動作により、その上部先端部を、待機路６を閉塞して主搬送路５を解放する位置と、主搬送路５を閉鎖して待機路６を解放する位置との間で切り換えできるように構成されており、待機切換え部材１９が主搬送路５を閉鎖した状態で、待機用圧接ローラ２０が待機用プーリ１６に搬送ベルト１７を介して圧接されるように構成されている。
【００２４】
また、待機切換え部材１９の近傍には、待機レバー２１が回動自在に配設されている。この待機レバー２１は、待機切換え部材１９が待機路６を閉塞して主搬送路５を解放する状態で、待機切換え部材１９により上端部が押圧されて待機レバー２１の側面が待機用圧接ローラ２０に圧接されるように保持されるものであり（図１参照）、待機切換え部材１９が主搬送路５を閉塞して待機路６を解放した状態で、待機切換え部材１９による押圧が解除されて待機レバー２１が回動されることにより、待機レバー２１の側面が搬送ベルト１７の内側に位置するように待機可能に構成されている（図２参照）。
【００２５】
第１カード回収口３の近傍には、回収切換え部材２２が回動自在に配設されており、回収切換え部材２２は、回動動作により、回収切換え部材２２の下端部が第１カード回収口３を解放する位置（図１中実線で示す）と、回収切換え部材２２の下端部が第１カード回収口３を閉塞して待機路６と回収路７とを連通させる位置（図１中破線で示す）との間で切り換えできるように構成されている。
【００２６】
さらに、第１カード回収口３と待機用プーリ１６との間には、カードＰの有無を検出する待機カード検出センサ２３が配設されている。
【００２７】
また、搬送ベルト１７より処理装置本体１の他端面寄りには、主搬送路５に対向するように磁気ヘッド２４が配設されており、磁気ヘッド２４の上方には、磁気ヘッド圧接ローラ２５が配設されている。磁気ヘッド２４は、図示しないソレノイドにより昇降自在とされており、カードＰの磁気情報を読み取り、書き込みを行う場合にのみ、磁気ヘッド２４を上昇させて磁気ヘッド圧接ローラ２５に圧接されるように構成されている。
【００２８】
さらに、磁気ヘッド２４と搬送ローラ８，９との間には、カードＰに対して所定の情報を書き込むためのサーマルヘッド２６が主搬送路５に対向するように配設されており、サーマルヘッド２６の下方には、サーマルヘッド圧接ローラ２７が配設されている。
【００２９】
次に、本実施形態における制御構成について説明する。本実施形態においては、カード処理装置を、駐車場の料金精算機に適用した場合について説明する。
【００３０】
本実施形態においては、各部署を総括的に制御する制御部２８を備えており、この制御部２８には、搬送駆動部２９が接続されており、搬送駆動部２９により、搬送ローラ８，９および搬送ベルト１７の駆動を制御するように構成されている。また、制御部２８には、切り換え制御部３０が接続されており、この切り換え制御部３０により、待機切換え部材１９および回収切換え部材２２の切り換え制御を行うように構成されている。さらに、制御部２８には、磁気ヘッド２４およびサーマルヘッド２６がそれぞれ接続されており、制御部２８により、磁気ヘッド２４によるカードＰの情報の読み取り、書き込みを行うとともに、サーマルヘッド２６によるカードＰへの情報の記録を行うように構成されている。また、制御部２８には、待機カード検出センサ２３および料金精算部３１が接続されており、待機カード検出センサ２３により、待機路に搬送されたカードＰの有無を検出するとともに、料金精算部３１により、磁気ヘッド２４により読み取られたカードＰの情報に基づいて料金の精算を行うように構成されている。
【００３１】
次に、本実施形態の作用について、フローチャートを参照して説明する。
【００３２】
まず、カード挿入口２にカードとしての駐車券Ｐが挿入されると（ＳＴ１：YES）、搬送ローラ８，９および搬送ベルト１７を回転駆動させることにより、駐車券Ｐを主搬送路５に沿って処理装置本体１の内部に搬送する（ＳＴ２）。駐車券Ｐの裏面に形成された磁気面に記録された情報を磁気ヘッド２４により読み取る（ＳＴ３）。
【００３３】
その後、搬送駆動部２９により搬送ローラ８，９および搬送ベルト１７を逆方向に回転駆動させるとともに、切り換え制御部３０により待機切換え部材１９を回動させて主搬送路５を閉塞して待機路６を解放させる。この状態で、待機用圧接ローラ２０が待機用プーリ１６に搬送ベルト１７を介して圧接され、これにより、駐車券Ｐは、主搬送路５を逆方向に搬送されるとともに、待機路６に送られ、待機カード検出センサ２３により駐車券Ｐの先端部を検出したら、搬送ベルト１７の回転動作を停止させる。これにより、駐車券Ｐの待機が完了する（ＳＴ４）。
【００３４】
続いて、待機切換え部材１９を回動させることにより、待機路６を閉鎖するとともに、主搬送路５を解放し、この状態で、待機用圧接ローラ２０が待機用プーリ１６から離隔され、待機路６に待機している駐車券Ｐへの圧接が解除される。一方、待機レバー２１の上端部が、待機切換え部材１９により押圧されて待機レバー２１の側面が待機用圧接ローラ２０に圧接され、これにより、待機レバー２１と待機用圧接ローラ２０との間に、駐車券Ｐが保持された状態で、待機されるようになっている。
【００３５】
そして、精算をサービスカードを用いて行う場合は（ＳＴ５：YES）、カード挿入口２から、サービスカードが挿入されると、搬送ローラ８，９および搬送ベルト１７により、サービスカードが主搬送路５に沿って搬送され、磁気ヘッド２４によりサービスカードのサービス情報を読み取る（ＳＴ６）、そして、料金精算部３１により、駐車場の入場時刻やサービスカードのサービス情報などから料金精算部３１により駐車料金を精算する（ＳＴ８）。
【００３６】
料金の支払いが完了すると（ＳＴ９）、待機切換え部材１９を回動させて待機切換え部材１９により主搬送路５を閉塞して待機路６を解放させ、回収切換え部材２２を第１カード回収口３が解放する位置に回動させる。この状態で、搬送ベルト１７を回転動作させることにより、待機されている駐車券Ｐを搬送して、第１カード回収口３から第１回収箱に落下させて駐車券Ｐの回収を行う（ＳＴ１０）。その後、回収切換え部材２２を回動させて、回収切換え部材２２が第１カード回収口３を閉塞して待機路６と回収路７とを連通させる位置に切り換え、この状態で、主搬送路５に位置するサービスカードを待機路６および回収路７に搬送させ、第２カード回収口４から第２回収箱に落下させてサービスカードの回収を行うようになっている（ＳＴ１０）。
【００３７】
また、精算をクレジットカードで行う場合は（ＳＴ７：YES）、駐車券Ｐが待機路６に待機している状態で、カード挿入口２からクレジットカードが挿入されると、搬送ローラ８，９および搬送ベルト１７により、クレジットカードが主搬送路５に沿って搬送され、磁気ヘッド２４によりクレジットカードの情報を読み取り（ＳＴ１１）、料金精算部３０により、クレジットカードの情報に基づく駐車料金を精算する（ＳＴ１２）。そして、精算が完了したら（ＳＴ１３）、搬送ローラ８，９および搬送ベルト１７を逆方向に回転駆動してクレジットカードをカード挿入口２に返却する（ＳＴ１４）。
【００３８】
その後、利用者が領収書が要求しない場合は（ＳＴ１５：NO）、搬送ベルト１７を駆動して待機していた駐車券Ｐを搬送し、第１カード回収口３から回収する（ＳＴ１０）。
【００３９】
また、利用者が領収書を要求する場合には（ＳＴ１５：YES）、搬送ベルト１７を逆方向に回転駆動させ、駐車券Ｐを主搬送路５のサーマルヘッド２６の設置位置まで搬送する（ＳＴ１６）。そして、サーマルヘッド２６により駐車券Ｐに所定の事項を記録し（ＳＴ１７）、再び、搬送ベルト１７および搬送ローラ８，９を駆動して駐車券Ｐをカード挿入口２から返却する（ＳＴ１８）。
【００４０】
以上述べたように本実施形態においては、駐車券Ｐを主搬送路５から分岐した待機路６に待機させるようにしているので、従来のように主搬送路５に待機する構成と比較して、主搬送路５の長さ寸法を小さく形成することができ、その結果、処理装置本体１の長さ寸法を小さくして装置の小型化を図ることができる。また、搬送ベルト１７を第１カード回収口３および第２カード回収口４の近傍まで配設するようにしており、この搬送ベルト１７により駐車券Ｐの回収を行うようにしているので、駐車券Ｐの搬送を確実に行うことができ、第１カード回収口３および第２カード回収口４の周辺における駐車券Ｐのジャムの発生を確実に防止することができる。
【００４１】
また、待機用圧接ローラ２０により、待機切換え部材１９が駐車券Ｐを待機路６で搬送するように切り換えられた状態で、搬送ベルト１７との間で駐車券Ｐを挟持して搬送させるようにしているので、待機路６において、搬送ベルト１７と待機用圧接ローラ２０とにより確実に駐車券Ｐを搬送させることができ、しかも、待機路６に駐車券Ｐが待機している状態で、待機用圧接ローラ２０による圧接が解除されるので、待機路６に駐車券Ｐを適正に保持することができる。
【００４２】
さらに、待機レバー２１により、待機路６に駐車券Ｐが待機している状態で、待機用圧接ローラ２０に圧接させるようにしているので、待機状態で、待機レバー２１と待機用圧接ローラ２０とにより挟持して保持することができ、しかも、待機切換え部材１９が駐車券Ｐを待機路６で搬送するように切り換えられた状態で、搬送ベルト１７の内側に位置するように待機可能としているので、待機路６における駐車券Ｐの搬送の邪魔になることがない。
【００４３】
なお、前記実施形態においては、カード処理装置を駐車場の料金精算機に適用した場合について説明したが、駐車場の料金精算機に限定されるものではなく、鉄道等の乗車券の料金精算機や、プレカット券を用いての発券機にも適用することが可能である。
【００４４】
また、本発明は前記実施形態に限定されるものではなく、本発明の趣旨に基づいて種々の変形が可能である。
【符号の説明】
【００４５】
１  処理装置本体
２  カード挿入口
３  第１カード回収口
４  第２カード回収口
５  主搬送路
６  待機路
７  回収路
８，９  搬送ローラ
１２，１３  搬送用プーリ
１４，１５  回収用プーリ
１６  待機用プーリ
１７  搬送ベルト
１９  待機切換え部材
２０  待機用圧接ローラ
２１  待機レバー
２２  回収切換え部材
２３  カード検出センサ
２４  磁気ヘッド
２５  サーマルヘッド
２８  制御部
２９  搬送駆動部
３０  切り換え制御部
３１  料金精算部
Ｐ  カード（駐車券）
【図１】
2010250578.tif 000003
【図２】
2010250578.tif 000004
【図３】
2010250578.tif 000005
【図４】
2010250578.tif 000006